(57)【特許請求の範囲】
【請求項１】
洋風便器の後部上面に設置され、前部に開口を有したケーシングと、
該ケーシングに支持された便座と、
該ケーシング内に配置された衛生洗浄装置のノズルとを備えてなり、
該ノズルの先端部に上向きの水噴出孔が設けられており、
該ノズルは、該開口を通って前方へ突出可能となっているトイレ装置において、
該ノズルの該水噴出孔の近傍且つ該水噴出孔よりも後方側と、該ケーシングの該開口の縁部との間に、伸縮可能な膜体を張設したことを特徴とするトイレ装置。
【請求項２】
請求項１において、前記膜体は、前記ノズルを取り巻いており、その後端側が前記開口の縁部に連結され、前端側が前記ノズルに連結されていることを特徴とするトイレ装置。
【請求項３】
請求項１又は２において、前記ノズルの先端部にキャップが装着されており、前記膜体は該キャップに連なっていることを特徴とするトイレ装置。
【発明の詳細な説明】
【技術分野】
【０００１】
本発明は、洋風便器に設置されるトイレ装置に係り、特に汚水が便座ボックス、ロータンクカバー等のケーシング内に入り込んで付着することによる臭気発生を防止するよう改良された、衛生洗浄等の機能を有するトイレ装置に関する。
【背景技術】
【０００２】
衛生洗浄装置は、周知の通り、洋風便器の後部上面に設置されたケーシング（便座ボックス、ロータンクカバーなど）と、該ケーシング内に設置された洗浄ノズルとを有しており、洗浄ノズルから噴出した温水によって人体の臀部を洗浄するものである。このケーシングに対し便座が枢支されている。このケーシング内に温風ファンを設置し、洗浄後に温風を人体臀部に吹き付けて臀部を温風乾燥するよう構成されたものもある。また、便鉢内から臭気を吸引する脱臭装置を備えたものもある。
【０００３】
上記の衛生洗浄装置のノズルは、ケーシングの開口を通って前方へ突出可能となっている。
【０００４】
この開口内に尿などの汚水が入り込んでこびり付き、臭気発生の原因となることがある。このような隙間への汚水侵入を防止するために、特開平１０−１９５９５７号公報には、ケーシング前部にノズル突出用の開口を有するものにおいて、この開口に開閉式のシャッターを設け、該開口内へ汚水が侵入することを防止することが記載されている。
【特許文献１】特開平１０−１９５９５７号公報
【発明の開示】
【発明が解決しようとする課題】
【０００５】
上記特開平１０−１９５９５７号公報にあっては、臀部洗浄時にはシャッターを開けるため、開口内に汚れが侵入することがある。また、シャッター及びその開閉駆動機構が必要となり、トイレ装置の構成が複雑となる。
【０００６】
本発明は、シャッターのような遮蔽用構造部材を用いることなく、臀部洗浄中でもケーシングのノズル突出用開口内への尿などの汚水の侵入を防止することができるトイレ装置を提供することを目的とする。
【課題を解決するための手段】
【０００７】
本発明のトイレ装置は、洋風便器の後部上面に設置され、前部に開口を有したケーシングと、該ケーシングに支持された便座と、該ケーシング内に配置された衛生洗浄装置のノズルとを備えてなり、該ノズルの先端部に上向きの水噴出孔が設けられており、該ノズルは、該開口を通って前方へ突出可能となっているトイレ装置において、該ノズルの該水噴出孔の近傍且つ該水噴出孔よりも後方側と、該ケーシングの該開口の縁部との間に、伸縮可能な膜体を張設したことを特徴とするものである。
【０００８】
本発明の一態様では、前記膜体は、前記ノズルを取り巻いており、その後端側が前記開口の縁部に連結され、前端側が前記ノズルに連結されている。
【０００９】
本発明の別の一態様では、前記ノズルの先端部にキャップが装着されており、前記膜体は該キャップに連なっている。
【発明の効果】
【００１０】
本発明のトイレ装置にあっては、ノズルの水噴出孔の近傍且つ該水噴出孔よりも後方側と、ケーシングの開口の縁部との間に膜体が張設されているため、この膜体によってケーシングの開口が閉鎖され、尿などの汚水が該開口からケーシング内に侵入することが防止される。
【００１１】
この膜体は伸縮可能であり、ノズル突出時には該ノズルは膜体を伸ばしながら突出し、ノズル後退時には、このノズルの後退に追従して膜体が収縮する。
【００１２】
従って、本発明によると、シャッターとその開閉駆動機構のような複雑な構成の遮蔽用構造部材が不要であり、トイレ装置の構成を簡易なものとすることが可能である。
【００１３】
また、ノズルの突出及び後退に追従して膜体が伸縮することにより、ノズル突出時においても、開口がこの膜体によって閉鎖され、ケーシング内への汚水の侵入が防止されると共に、突出したノズルの後端側がこの膜体によって覆われているため、該ノズル後端側への汚水の付着も防止される。
【００１４】
膜体を、ノズルを取り巻くように設け、その後端を開口の縁部に連結し、前端をノズルに連結することにより、汚水がどの方向から飛来しても、この汚水のケーシング内への侵入とノズル後端側への付着を防止することができる。また、ノズル清掃時には、膜体の表面と、この膜体の前端側から延出したノズル先端部のみを清掃すればよいので、ノズルの清掃作業を容易にすることもできる。
【００１５】
ノズルの先端部にキャップを装着し、このキャップに膜体を連結することにより、開口から突出するノズルの略全体をこのキャップと膜体とによって覆うことができるので、ノズルへの汚水の付着を大幅に抑制ないし防止することが可能である。
【発明を実施するための最良の形態】
【００１６】
以下に、図面を参照して本発明の実施の形態について説明する。
【００１７】
第１図は実施の形態に係るトイレ装置を備えた洋風便器の斜視図、第２図はこのトイレ装置の構成を概略的に示す、便座ボックスの前部付近の縦断面図である。なお、第２図（ａ）はノズル非突出時を示し、第２図（ｂ）はノズル突出時を示している。
【００１８】
洋風便器１の後部上面にケーシングとしての便座ボックス２が設置され、この便座ボックス２の前部が該洋風便器１の鉢部に臨んでいる。この便座ボックス２の前部には、便座３及び便蓋４が上下方向回動可能に取り付けられている。なお、ケーシングとしては、便座ボックスの代わりにロータンクカバーが採用されてもよい。
【００１９】
便座ボックス２内には、便座３に着座した用便者の臀部を温水で洗浄するためのノズル１１と、この洗浄用の温水を貯留するための温水タンク（図示略）と、該温水タンクからノズル１１に温水を供給するための給水ポンプ（図示略）等を備えた衛生洗浄装置１０が設置されている。便座ボックス２の前端面には、ノズル１１を洋風便器１の鉢部内に進出させるための開口５が設けられている。なお、この実施の形態では、該衛生洗浄装置１０は、シャワー洗浄用及びビデ洗浄用の２本のノズル１１（１１Ａ，１１Ｂ）を備えている。
【００２０】
このノズル１１の先端側に、上方へ向かって温水を噴出する水噴出孔１２が設けられている。この実施の形態では、ノズル１１は、後端側から前記給水ポンプによって温水が供給されることにより、その水圧で前進し、開口５を通って便鉢内へ突出するよう構成されている。この温水は、該ノズル１１内の通水路（図示略）を通って水噴出孔１２へ供給される。
【００２１】
ただし、ノズル１１は、このような水圧による前進駆動方式以外のものであってもよい。例えば、エアー圧駆動方式や、モータ駆動方式、リニア駆動方式、あるいはこれらの複合式のものなどであってもよい。
【００２２】
このノズル１１と開口５の周縁部との間に、該開口５からのノズル１１の進退に追従して伸縮可能な膜体２０が張設されている。この実施の形態では、該膜体２０は、ノズル１１の全周を取り巻く略コーン形状のものであり、その後端側が開口５の周縁部に連結され、前端側が、ノズル１１の水噴出孔１２よりも若干後方側に連結されている。
【００２３】
この膜体２０の材質としては、伸び率が高く、繰り返しの伸縮にも耐久性の高いゴムやエラストマーなどが好適である。具体的には、例えばシリコンゴムが挙げられるが、これに限定されるものではない。この膜体２０の伸び量は、開口５からのノズル１１の突出量により決まるが、一般的には、５０〜１００ｍｍ程度伸びればよい。
【００２４】
図示は省略するが、この実施の形態では、該膜体２０の後端側は、開口５の周縁部に対し、接着や溶着、ビス留め等により接合されている。ただし、開口５の縁部への膜体２０の後端側の連結方法はこれに限定されるものではない。例えば、膜体２０の後端側を直接的に開口５の縁部に接合する代わりに、膜体２０の後端を連結片に結合し、この連結片を開口５の縁部に取り付けるようにしてもよい。膜体２０の後端側は、開口５に対し着脱可能に連結されてもよい。
【００２５】
第２図（ａ），（ｂ）に示すように、この実施の形態では、該膜体２０の前端に、ノズル１１への掛止用のリング２０ａが設けられている。該掛止用リング２０ａは、この実施の形態では、硬質樹脂よりなり、二色成形等により膜体２０と一体に形成されている。
【００２６】
ノズル１１は、その先端から、水噴出孔１２よりも所定距離後方側に形成された段差部１１ａまでが、リング２０ａに内嵌しうる太さとなっており、このリング２０ａをノズル１１の先端に外嵌させ、該段差部１１ａに掛止させることにより、膜体２０の前端側がノズル１１に連結されている。
【００２７】
水噴出孔１２を含む、ノズル１１の該段差部１１ａよりも先端側は、該リング２０ａの内孔を通って膜体２０の外部に延出している。
【００２８】
なお、このリング２０ａの内周面とノズル１１の外周面（又は段差部１１ａ）との間を、Ｏリングなどのシール材（図示略）によりシールしてもよい。
【００２９】
ただし、膜体２０の前端側のノズル１１への連結方法はこれに限定されるものではない。例えば、リング２０ａを金属製とし、膜体２０を該リング２０ａに加硫接着してもよい。また、膜体２０をノズル１１の先端側に直に加硫接着してもよい。
【００３０】
図示はしないが、便座ボックス２内には、衛生洗浄装置１０の他に、温風乾燥装置や脱臭装置なども設置されている。これらの装置は、用便者によるリモコン（図示略）のスイッチ操作に基づいて作動する。
【００３１】
かかる構成のトイレ装置にあっては、ノズル１１と便座ボックス２の開口５の周縁部との間に膜体２０が張設されており、この膜体２０によって該開口５が閉鎖されているため、尿などの汚水が該開口５から便座ボックス２内に侵入することが防止される。
【００３２】
この膜体２０は伸縮可能であり、前記リモコンのシャワー洗浄スイッチ又はビデ洗浄スイッチが操作されてノズル１１（１１Ａ又は１１Ｂ）が突出する場合には、第２図（ａ）から第２図（ｂ）のように、該ノズル１１は膜体２０を伸ばしながら開口５から突出する。また、洗浄停止スイッチが操作されてノズル１１が後退するときには、第２図（ｂ）から第２図（ａ）のように、このノズル１１の後退に追従して膜体２０が収縮する。
【００３３】
従って、このトイレ装置によれば、開口５に、シャッターとその開閉駆動機構のような複雑な構成の遮蔽用構造部材を設けることが不要であり、構成が簡易である。
【００３４】
また、ノズル１１の突出及び後退に追従して膜体２０が伸縮することにより、ノズル１１の突出時においても、開口５がこの膜体２０によって閉鎖され、便座ボックス２内への汚水の侵入が防止されると共に、突出したノズル１１の後端側がこの膜体２０によって覆われているため、該ノズル１１の後端側への汚水の付着も防止される。
【００３５】
この実施の形態では、膜体２０は、ノズル１１を取り巻く略コーン状となっているので、汚水がどの方向から飛来しても、この汚水の便座ボックス２内への侵入とノズル１１の後端側への付着を防止することができる。また、ノズル清掃時には、膜体２０の表面と、この膜体２０の前端側から延出したノズル１１の先端部のみを清掃すればよいので、ノズル清掃作業も容易である。
【００３６】
第３図は別の実施の形態に係るトイレ装置の構成を概略的に示す、便座ボックスの前部付近の縦断面図である。なお、第３図（ａ）はノズル非突出時を示し、第３図（ｂ）はノズル突出時を示している。
【００３７】
この実施の形態では、ノズル１１の先端部に、該先端部（ノズル１１の先端面と、これに連なる該先端側の外周面の略全周であって、水噴出孔１２の近傍且つ該水噴出孔１２よりも後方側までの領域）を覆うキャップ２１が装着され、このキャップ２１の後端に膜体２０の前端が連結されている。膜体２０は、前述の実施の形態と同様、ノズル１１を取り巻く略コーン状のものであり、該キャップ２１の後端と膜体２０の前端とは、相互に全周にわたって連なっている。
【００３８】
該キャップ２１は、この実施の形態では、硬質樹脂よりなり、二色成形等により膜体２０と一体に形成されている。
【００３９】
図示の通り、このキャップ２１には、ノズル１１の水噴出孔１２と重なるように開口２１ａが設けられており、該水噴出孔１２からの温水は、この開口２１ａを通って外部に噴出する。
【００４０】
ただし、このキャップ２１の材質や構成、膜体２０への連結方法は、これに限定されるものではない。例えば、キャップ２１を金属製とし、膜体２０を該キャップ２１に加硫接着してもよい。
【００４１】
この実施の形態のその他の構成は、前述の第１，２図の実施の形態と同様であり、第３図において第１，２図と同一符号は同一部分を示している。
【００４２】
この実施の形態のトイレ装置にあっても、リモコンのシャワー洗浄スイッチ又はビデ洗浄スイッチが操作されてノズル１１（１１Ａ又は１１Ｂ）が突出する場合には、第３図（ａ）から第３図（ｂ）のように、該ノズル１１は膜体２０を伸ばしながら開口５から突出する。また、洗浄停止スイッチが操作されてノズル１１が後退するときには、第３図（ｂ）から第３図（ａ）のように、このノズル１１の後退に追従して膜体２０が収縮する。
【００４３】
この実施の形態にあっては、ノズル１１の先端部にキャップ２１が装着され、このキャップ２１の後端に膜体２０の前端が連結されており、開口５から突出するノズル１１の略全体がこのキャップ２１と膜体２０とによって覆われているので、ノズル１１への汚水の付着が大幅に抑制ないし防止される。
【００４４】
上記の各実施の形態は、いずれも本発明の一例を示すものであり、本発明は上記の各実施の形態に限定されない。
【図面の簡単な説明】
【００４５】
【図１】実施の形態に係るトイレ装置を備えた洋風便器の斜視図である。
【図２】図１のトイレ装置の構成を示す、便座ボックスの前部付近の断面図である。
【図３】別の実施の形態に係るトイレ装置の構成を示す、便座ボックスの前部付近の断面図である。
【符号の説明】
【００４６】
１  洋風便器
２  便座ボックス
３  便座
４  便蓋
５  開口
１０  衛生洗浄装置
１１  ノズル
１２  水噴出孔
２０  膜体
２０ａ  掛止用リング
２１  キャップ
２１ａ  水噴出用開口
【図１】
0004760555.tif 000002
【図２】
0004760555.tif 000003
【図３】
0004760555.tif 000004